(57)【要約】  【課題】  内装部品に取付けられた保護カバーを生産ラインにおいて容易に且つ確実にリサイクル化のための分別作業が行えるようになした。  【解決手段】  ドアトリム１０に貼付される保護カバー２０に、保護カバー２０の材質等の識別情報２２をスリット加工により表示した。【選択図】  図２
2006182104.tif 000002
【特許請求の範囲】
【請求項１】
内装部品に貼付される保護カバーに、該保護カバーの材質等の識別情報を表示したことを特徴とする車両用内装部品。
【請求項２】
内装部品に保護カバーを貼付する貼付用テープに、該保護カバーの材質等の識別情報を表示したことを特徴とする車両用内装部品。
【発明の詳細な説明】
【技術分野】
【０００１】
本発明は、車体内側を美装する車両用内装部品、特に車体取付け前に表面を保護カバーで覆って保護するようにした車両用内装部品に関する。
【背景技術】
【０００２】
車両用内装部品、例えば、特許文献１に示す自動車のドアトリム１は、図９に示すように所定の形状に成形されたドアトリム本体２と、ドアトリム本体２の上縁部に沿って取付けられた樹脂成形体からなるアッパーガーニッシュ３と、ドアトリム本体２の下側に取付けられた樹脂成形体からなるドアポケット４等から構成されており、ドアトリム本体２は、ボード芯材２ａとＰＶＣ表皮２ｂとが横方向に沿って複数列に形成されるウエルダパターン６により高周波ウエルダ加工を施して一体化されると共に、図１０に示すように、ＰＶＣ表皮２ｂの４辺における周縁巻き込み部２ｃがボード芯材２ａの裏面側に折り返し、接着或いはタッカー等により固定されて構成している（特許文献１参照）。
【特許文献１】特開２００２−２９２５６号公報。
【０００３】
このように構成されたドアトリム１は、取付けられた自動車が廃棄処分になる際に、他の部品と分離解体された後、分別されてリサイクル化している。このために、ドアトリム１には、部品番号や部品名などの他に、通常、当該ドアトリム１の材質が表示されている。
【０００４】
このような材質等の識別情報を表示する方法として、特許文献１には、図９に示すように、ドアトリム本体２におけるアッパーガーニッシュ３の装着部分にウエルダパターンによる識別情報５を形成する場合や、図１０に示すように、ボード芯材２ａの裏面の周縁部に沿って巻き込み処理されたＰＶＣ表皮２ｂの周縁巻き込み部２ｃにスリット加工により識別情報５が形成されている。
【０００５】
従って、自動車の廃車時等においてドアトリム１が分離解体された場合には、ドアトリム本体２におけるアッパーガーニッシュ３の装着部分にウエルダパターンによる識別情報５やボード芯材２ａの裏面の周縁部に沿って巻き込み処理されたＰＶＣ表皮２ｂの周縁巻き込み部２ｃにスリット加工により識別情報５を作業者が認識して当該材質を識別することによって、ドアトリム１のリサイクル化を容易且つ正確に可能としている。
【発明の開示】
【発明が解決しようとする課題】
【０００６】
上記のように構成する従来のドアトリム１に代表される車両用内装部品には、通常車体へ取付ける前における例えば輸送等する段階で製品表面が汚れたり、傷がつかないように、製品表面を保護するために、塩化ビニルシート等の透明性のある保護カバーが取付けられている(特許文献２参照)。
【特許文献２】実開平５−５８５０４号公報。
【０００７】
そして、通常、車両の生産ラインにおいて、当該内装部品は、車体に装着する際には、保護カバーを予め内装部品から取外す必要がある。
【０００８】
従って、保護カバーは、車両の生産ラインにおいて内装部品を車体に装着する際には、廃棄処分にされることになるのであるが、従来保護カバーにおける材質等の表示がなされていないために、リサイクル化に際し、廃棄物の分別作業に経験則や材料知識等を必要としたり、多くの分別時間を費やしたりしていた。
【０００９】
そこで、本発明は、かかる点に鑑み、内装部品に取付けられた保護カバーを生産ラインにおいて容易に且つ確実にリサイクル化のための分別作業が行えるようになした車両用内装部品を提供することを目的としている。
【課題を解決するための手段】
【００１０】
本発明に係る請求項１に記載された車両用内装部品は、内装部品に貼付される保護カバーに、該保護カバーの材質等の識別情報を表示したことを特徴とするものであり、請求項２に記載の車両用内装部品は、内装部品に保護カバーを貼付する貼付用テープに、該保護カバーの材質等の識別情報を表示したことを特徴とするものである。
【発明の効果】
【００１１】
上記のように構成する本発明によれば、車両の生産ラインにおいて内装部品を車体に装着する際に、当該内装部品から取外した保護カバーを廃棄処分後にリサイクル化のために他の分解部品と分別する作業を行う場合、保護カバーには材質を含む識別情報が表示されているために、当該識別情報に基づいて、廃棄処分された保護カバーのリサイクル化のための分別作業を行えばよく、当該分別作業が経験則や材料知識等を要せずして、容易且つ正確に行なうことができる。
【発明を実施するための最良の形態】
【００１２】
次に、図を用いて、本発明にかかる実施の形態を採用した車両用内装部品について説明する。
【００１３】
（実施例１）
図１は本発明に係る実施例１における車両用内装材としてのドアトリムを正面から描画した一部切欠き斜視図、図２は同じく保護カバーを取外した状態を描画した分解斜視図、図３は同じく保護カバーに材質等の識別情報を刻設するためのカッターの一例を示す概略斜視図である。
【００１４】
図１及び図２において、自動車のドアトリム１０は、所要形状に成形された芯材１１の表面側（車室側）に表皮材１２を一体貼着して構成しており、ドアトリム１０を車体パネルに取付ける前工程、輸送工程等でドアトリム１０の表面に汚れや傷がつかないように、塩化ビニルシート等の透明性の保護カバー２０がドアトリム１０の表面を覆うように取付けられている。
【００１５】
保護カバー２０は、図２に示すように、外端周縁部に取付け片２１を形成して、取付け片２１をドアトリム１０の裏面側に巻き込んで、不図示の接着テープ或いはタッカー等により装着することにより、ドアトリム１０の表面側の保護をしている。
【００１６】
なお、保護カバー２０をドアトリム１０に取付ける場合、必ずしも取付け片２１を形成しなくても、保護カバー２０の外端周縁部自体をドアトリム１０の裏面側に巻き込んで装着するようにしてもよい。
【００１７】
そして、保護カバー２０は、ドアトリム１０への装着をする前に、不図示の裁断機を用いて、塩化ビニルシート等の原反を図２に示すような形状に裁断することによって形成されている。
【００１８】
この裁断機により原反を裁断して、保護カバー２０を形成するに際して、同時に、図２に示すように、スリット加工により保護カバー２０の材質等を表示する識別情報２２を刻設して、保護カバー２０に識別情報２２を表示するようにしている。
【００１９】
従って、裁断機において使用されるカッター２３は、図３に示すように、板状のカッター基体２３ａの外周部を保護カバー２０の外周形状に適合するように形成した状態で、この外周形状に沿った全周に外刃２３ｂを突設すると共に、外刃２３ａを囲んだカッター基体２３ａの中側において、識別情報２２をスリット加工する識別情報形成刃２３ｃを突設形成して構成している。
【００２０】
上記のように構成する場合、自動車の生産ラインにおいて、ドアトリム１０を不図示の車体パネルに装着する際に、ドアトリム１０から取外した保護カバー２０を廃棄処分後にリサイクル化のために他の解体部品と、分別する作業を行う場合、保護カバー２０には材質を含む識別情報２２が表示されているために、識別情報２２の表示内容に基づいて、廃棄処分された保護カバー２２のリサイクル化のための分別作業を行えばよく、当該分別作業が経験則や材料知識等を要せずして、容易且つ正確に行なうことができる。
【００２１】
また、上記実施の形態における識別標識２２は、塩化ビニル等の原反から所定の形状を有する保護カバー２０をカッター２３を用いて裁断する際に、カッター２３に形成された識別情報形成刃２３ｃにより同時に、保護カバー２０自体に形成されることになって、原反の裁断後に、ウエルダ加工によるウエルダパターンの形成や予め識別情報２２が印刷された標識テープを貼付する等行わなくても、保護カバー２０に容易に材質等の識別情報２２を表示することができ、しかも、スリット加工により識別情報２２を表示したので、印刷等の場合の乾燥工程等を経ずして即座に使用でき、自動車の生産ラインにおける短縮合理化することができ、また、別体の標識テープ等を用いないことから、コストダウンを期待できる。
【００２２】
（実施例２）
次に、図４及び図５に示す本発明にかかる他の実施の形態について説明する。
【００２３】
図４及び図５によれば、保護カバー２０は、上記実施例１のようにスリット加工により識別情報２２を表示することに代えて、保護カバー２０をドアトリム１０に装着するための接着テープ２４に表示したものである。
【００２４】
すなわち、識別情報２２は、上記実施例１と同様に、スリット加工により接着テープ２４に形成されたものであるが、保護カバー２０をドアトリム１０に装着するための接着テープ２４自体に表示されている点異なる。
【００２５】
そして、識別情報２２における接着テープ２４への表示は、図６及び図７に示すテープカッター２５を用いて行う。
【００２６】
すなわち、接着テープ２４は、原反状態では長尺状になって巻取りドラム２６に巻き取られた状態となっており、テープカッター２５の一対のカッター刃２７によりせん断加工することにより、取付け片２１に装着するに充分な寸法に裁断して用いている。
【００２７】
この裁断の際に、テープカッター２５に別に設けた一対の識別情報形成刃２８により接着テープ２４を挟着することによって、刃部２８ａによりスリット加工し、識別情報２２を形成している。
【００２８】
従って、テープカッター２５により所定寸法に裁断された接着テープ２４には、同時にスリット加工による識別情報２２が表示されており、接着テープ２４に別工程において識別標識２２の印刷等を要せず、保護カバー２０の取付け片２１に貼着し、保護カバー２０をドアトリム１０に装着することができる。
【００２９】
そして、自動車の生産ラインにおいて、ドアトリム１０を不図示の車体パネルに装着する際に、ドアトリム１０から取外した保護カバー２０を廃棄処分後にリサイクル化のための分別作業を行う場合、保護カバー２０の取付け片２１には接着テープ２４により材質を含む識別情報２２が表示されているために（保護カバー２２が透明性を有するため表面側から識別情報２２を透視することができる）、識別情報２２の表示内容に基づいて、廃棄処分された保護カバー２２のリサイクル化のための分別作業を行えばよく、当該分別作業が経験則や材料知識等を要せずして、容易且つ正確に行なうことができる。
【００３０】
（実施例３）
図８は本発明にかかる保護カバー２０をドアトリム１に装着するための接着テープ２４の別実施例を示している。
【００３１】
図８によれば、接着テープ２４は、原反段階において予め識別情報２２を印刷等により表示した点が異なり、識別情報２２を用いて、リサイクル化のための分別作業が行える点上記実施例と同様である。
【００３２】
なお、上記実施の形態においては、本発明を自動車用ドアトリムに採用した場合に限定して説明したが、これに限定されるものではなく、自動車においては、例えば、リアサイドトリム、ラゲージサイドトリム、ルーフトリム等の内装部品や車両一般の内装部品に適用できること明らかである。
【００３３】
保護カバー２０と接着テープ２４の材質が異なり、分別が必要な場合には、保護カバー２０には保護カバーの材質を示し、接着テープには接着テープの材質を表示すればよい。
【産業上の利用可能性】
【００３４】
以上説明したように、本発明は、車両の生産ラインにおいて内装部品を車体に装着する際に、当該内装部品から取外した保護カバーを廃棄処分後に他の解体部品に対してリサイクル化のための分別作業を行う場合、保護カバーには材質を含む識別情報が表示されているために、当該識別情報に基づいて、廃棄処分された保護カバーのリサイクル化のための分別作業を行えばよく、当該分別作業が経験則や材料知識等を要せずして、容易且つ正確に行なうことができることから、車体内側を美装する車両用内装部品、特に車体取付け前に表面を保護カバーで覆って保護するようにした車両用内装部品等に好適である。
【図面の簡単な説明】
【００３５】
【図１】本発明に係る実施の形態における車両用内装材としてのドアトリムを正面から描画した一部切欠き斜視図である。
【図２】同じく保護カバーを取外した状態を描画した分解斜視図である。
【図３】同じく保護カバーに材質等の識別情報を刻設するためのカッターの一例を示す概略斜視図である。
【図４】本発明に係る他の実施の形態における保護カバーの裏面図である。
【図５】図４の円内の拡大図である。
【図６】図４に示す接着テープを使用する状態に適合するように所定の長さにカットするテープカッターの斜視図である。
【図７】テープカッターのカバーを外した状態における要部を描画した説明図である。
【図８】図４に示す接着テープとは別の他の実施の形態による接着テープをロール状に巻き取って保管状態姿に構成した場合の斜視図である。
【図９】従来におけるドアトリムの分解斜視図である。
【図１０】図９に示すドアトリム本体の背面図である。
【符号の説明】
【００３６】
１０    ドアトリム（内装部品）
２０    保護カバー
２２    識別情報
【図１】
2006182104.tif 000003
【図２】
2006182104.tif 000004
【図３】
2006182104.tif 000005
【図４】
2006182104.tif 000006
【図５】
2006182104.tif 000007
【図６】
2006182104.tif 000008
【図７】
2006182104.tif 000009
【図８】
2006182104.tif 000010
【図９】
2006182104.tif 000011
【図１０】
2006182104.tif 000012